【手続補正書】
【提出日】平成27年10月8日(2015.10.8)
【手続補正１】
【補正対象書類名】明細書
【補正対象項目名】００１２
【補正方法】変更
【補正の内容】
【００１２】
【図１】本開示の一実施の形態に係る表示装置の構成を表す図である。
【図２】図１に示した画素駆動回路の一例を表す図である。
【図３】図１に示した表示装置の構成を表す断面図である。
【図４】図３に示した遮光層の一例を、田の字状の画素配列と共に表す平面模式図である。
【図５Ａ】図４に示した遮光層の他の例を表す平面模式図である。
【図５Ｂ】図４に示した遮光層の他の例を表す平面模式図である。
【図５Ｃ】図３に示した遮光層の一例を、ストライプ状の画素配列と共に表す平面模式図である。
【図５Ｄ】図５Ｃに示した遮光層の他の例を表す平面模式図である。
【図５Ｅ】図５Ｃに示した遮光層の他の例を表す平面模式図である。
【図５Ｆ】図５Ｃに示した遮光層の他の例を表す平面模式図である。
【図５Ｇ】Ｗ画素を用いた場合の遮光層の一例を表す平面模式図である。
【図６】図３に示した表示装置の製造方法を説明するための断面図である。
【図７】図６に続く工程を表す断面図である。
【図８】比較例に係る表示装置の作用を説明するための模式図である。
【図９】図８に示した第２基板および空気層の界面への入射角と開口幅との関係を表す特性図である。
【図１０】図３に示した表示装置の作用を説明するための模式図である。
【図１１】変形例１に係る表示装置の構成を表す断面図である。
【図１２】図１１に示した表示装置の製造方法を説明するための断面図である。
【図１３】図１２に続く工程を表す断面図である。
【図１４】変形例２に係る表示装置の構成を表す断面図である。
【図１５】変形例３に係る表示装置の構成を表す断面図である。
【図１６】図１等に示した表示装置を含むモジュールの概略構成を表す平面図である。
【図１７】テレビジョン装置の構成を表す斜視図である。
【図１８Ａ】デジタルスチルカメラの構成を表す斜視図である。
【図１８Ｂ】デジタルスチルカメラの構成を表す斜視図である。
【図１９】パーソナルコンピュータの外観を表す斜視図である。
【図２０】ビデオカメラの外観を表す斜視図である。
【図２１Ａ】携帯電話機の構成を表す平面図である。
【図２１Ｂ】携帯電話機の構成を表す平面図である。
【図２２Ａ】スマートフォンの構成を表す斜視図である。
【図２２Ｂ】スマートフォンの構成を表す斜視図である。
【手続補正２】
【補正対象書類名】明細書
【補正対象項目名】００１４
【補正方法】変更
【補正の内容】
【００１４】
＜実施の形態＞
［構成］
図１は、本開示の一実施の形態に係る表示装置（表示装置１）の構成を表すものである。この表示装置１は、有機ＥＬ表示装置であり、第１基板１１上の表示領域１１０には、複数の画素として、複数の有機ＥＬ素子１０Ｒ，１０Ｇ，１０Ｂがマトリクス状に配置されている。有機ＥＬ素子１０Ｒ，１０Ｇ，１０Ｂは、それぞれ赤色の光ＬＲ（波長６２０ｎｍ〜７５０ｎｍ），緑色の光ＬＧ（波長４９５ｎｍ〜５７０ｎｍ），青色の光ＬＢ（波長４５０ｎｍ〜４９５ｎｍ）を発生する。有機ＥＬ素子１０Ｒ，１０Ｇ，１０Ｂはサブピクセル（Ｒ画素，Ｇ画素，Ｂ画素）に相当するものであり、これら３つのＲ画素，Ｇ画素，Ｂ画素の組を１つのピクセルとして画像表示がなされる。表示領域１１０の周辺には、映像表示用の信号線駆動回路１２０および走査線駆動回路１３０が設けられている。
【手続補正３】
【補正対象書類名】明細書
【補正対象項目名】００２０
【補正方法】変更
【補正の内容】
【００２０】
駆動回路層１３には、例えば上述のトランジスタＴｒ１，Ｔｒ２等の画素トランジスタおよびキャパシタＣｓ等が形成されるが、ここではそれらのうちのトランジスタＴｒ１のみを図示している。トランジスタＴｒ１は、例えばボトムゲート型の薄膜トランジスタ（ＴＦＴ：Thin Film Transistor）であり、例えばＭＯＳＦＥＴ（Metal Oxide Semiconductor Field Effect Transistor）により構成されている。このトランジスタＴｒ１では、第１基板１１上に、例えば絶縁膜を介してパターン形成されたゲート電極と、ゲート絶縁膜と、チャネルを形成する半導体薄膜と、層間絶縁膜とがこの順に積層されており、半導体薄膜の両端側に隣接してソース電極およびドレイン電極が形成されている。トランジスタＴｒ１のドレイン電極には第１電極１５が電気的に接続されている。尚、トランジスタＴｒ１は、このようなボトムゲート型に限らず、トップゲート型のものであってもよい。また、半導体薄膜は、結晶性シリコンおよびアモルファスシリコンなどから構成されていてもよいし、酸化物半導体から構成されていてもよい。
【手続補正４】
【補正対象書類名】明細書
【補正対象項目名】００２１
【補正方法】変更
【補正の内容】
【００２１】
平坦化膜１４は、駆動回路層１３が形成された第１基板１１の表面を平坦化し、有機発光素子１０Ｒ，１０Ｇ，１０Ｂの各層の膜厚を均一に形成するためのものである。この平坦化膜１４は、第１電極１５とトランジスタＴｒ１のドレイン電極とを電気的に接続するためのコンタクトホールが設けられており、これらが不必要に接触することを防ぐ役割をも果たしている。平坦化膜１４の構成材料としては、例えば、ポリイミド樹脂、アクリル樹脂およびノボラック樹脂などの有機材料、あるいは酸化シリコン（ＳｉＯ2），窒化シリコン（ＳｉＮｘ）または酸窒化シリコン（ＳｉＯＮ）などの無機材料が挙げられる。
【手続補正５】
【補正対象書類名】明細書
【補正対象項目名】００２６
【補正方法】変更
【補正の内容】
【００２６】
発光層は、電界がかかると電子と正孔との再結合が起こり、光を発生する。発光層は、例えば有機ＥＬ素子１０Ｒ，１０Ｇ，１０Ｂ毎に異なる材料から構成されている。有機ＥＬ素子１０Ｒでは赤色光を発する赤色発光層が、有機ＥＬ素子１０Ｇでは緑色光を発する緑色発光層が、有機ＥＬ素子１０Ｂでは青色光を発する青色発光層が、それぞれ形成され
ている。但し、このような構成に限らず、有機ＥＬ素子１０Ｒ，１０Ｇ，１０Ｂのいずれにも、赤色発光層、緑色発光層および青色発光層が積層されており、これにより白色光を生じるように構成されていてもよい。この場合、カラーフィルタ層２０Ｒ，２０Ｇ，２０Ｂによって赤色光，緑色光および青色光に分離される。
【手続補正６】
【補正対象書類名】明細書
【補正対象項目名】００２７
【補正方法】変更
【補正の内容】
【００２７】
赤色発光層は、電界をかけることにより、第１電極１５から注入された正孔の一部と、第２電極１８から注入された電子の一部とが再結合して、赤色の光を発生するものである。このような赤色発光層は、例えば、赤色発光材料，正孔輸送性材料，電子輸送性材料および両電荷輸送性材料のうち少なくとも１種を含んでいる。赤色発光材料は、蛍光性のものでも燐光性のものでもよい。このような赤色発光層は、例えば、厚みが５ｎｍ程度であり、４，４’−ビス（２，２−ジフェニルビニン）ビフェニル（ＤＰＶＢｉ）に２，６−ビス［（４’−メトキシジフェニルアミノ）スチリル］−１，５−ジシアノナフタレン（ＢＳＮ）を３０重量％混合したものにより構成されている。
【手続補正７】
【補正対象書類名】明細書
【補正対象項目名】００２９
【補正方法】変更
【補正の内容】
【００２９】
青色発光層は、電界をかけることにより、第１電極１５から注入された正孔の一部と、第２電極１８から注入された電子の一部とが再結合して、青色の光を発生するものである。このような青色発光層は、例えば、青色発光材料，正孔輸送性材料，電子輸送性材料および両電荷輸送性材料のうち少なくとも１種を含んでいる。青色発光材料は、蛍光性のものでも燐光性のものでもよい。このような青色発光層は、例えば、厚みが３０ｎｍ程度であり、ＤＰＶＢｉに４，４’−ビス［２−｛４−（Ｎ，Ｎ−ジフェニルアミノ）フェニル｝ビニル］ビフェニル（ＤＰＡＶＢｉ）を２．５重量％混合したものにより構成されている。  
【手続補正８】
【補正対象書類名】明細書
【補正対象項目名】００３４
【補正方法】変更
【補正の内容】
【００３４】
第２基板２１は、有機ＥＬ素子１０Ｒ，１０Ｇ，１０Ｂにおいて発生した光に対して透明なガラスなどの材料により構成されている。第２基板２１の一方の面（例えば第１基板１１側の面）には、カラーフィルタ層２０Ｒ，２０Ｇ，２０Ｂとブラックマトリクス層２０とが形成されている。
【手続補正９】
【補正対象書類名】明細書
【補正対象項目名】００３５
【補正方法】変更
【補正の内容】
【００３５】
ブラックマトリクス層２０は、遮光性を有すると共に、例えば有機ＥＬ素子１０Ｒ，１０Ｇ，１０Ｂの各発光領域に対向して開口を有している。ブラックマトリクス層２０の面形状（第２基板２１の主面に平行な面形状）は、例えば格子状であり、幅Ｗ１は、例えば３μｍ〜３０μｍ、厚みは例えば０．５μｍ〜３μｍである。このブラックマトリクス層２０の開口にカラーフィルタ層２０Ｒ，２０Ｇ，２０Ｂが形成されている。カラーフィルタ層２０Ｒは、有機ＥＬ素子１０Ｒに対向して設けられ、赤色光を選択的に透過するものである。カラーフィルタ層２０Ｇは、有機ＥＬ素子１０Ｇに対向して設けられ、緑色光を選択的に透過するものである。カラーフィルタ層２０Ｂは、有機ＥＬ素子１０Ｂに対向して設けられ、青色光を選択的に透過するものである。
【手続補正１０】
【補正対象書類名】明細書
【補正対象項目名】００３６
【補正方法】変更
【補正の内容】
【００３６】
これらのブラックマトリクス層２０とカラーフィルタ層２０Ｒ，２０Ｇ，２０Ｂは、第２基板２１の光入射側（素子側）および光出射側のどちらの面に設けられてもよいが、例えば光入射側の面に設けられている。
【手続補正１１】
【補正対象書類名】明細書
【補正対象項目名】００４１
【補正方法】変更
【補正の内容】
【００４１】
具体的には、図６に示したように、第１基板１１上に、駆動回路層１３、平坦化膜１４、第１電極１５、画素間絶縁膜１６、有機層１７および第２電極１８を形成する（有機ＥＬ素子１０Ｒ，１０Ｇ，１０Ｂを形成する）。この後、図７に示したように、上記のような各種印刷法を用いて、第２電極１８上に、遮光層２２を形成する。この際、上述したような金属インクを第２電極１８上に塗布した後、所定の温度でベークすることにより、遮光層２２を形成する。尚、遮光層２２の形成は、ドライエアーや窒素雰囲気中などの水分の少ない環境下において行うことが望ましい。尚、遮光層２２の形成手法としては、高精細化の観点では、印刷法が望ましいが、印刷以外の手法、例えば蒸着法などにより形成してもよい。このようにして、第１基板１１上に、有機ＥＬ素子１０Ｒ，１０Ｇ，１０Ｂおよび遮光層２２を形成後、封止層１９を介して、ブラックマトリクス層２０およびカラーフィルタ層２０Ｒ，２０Ｇ，２０Ｂを有する第２基板２１を貼り合わせる。
【手続補正１２】
【補正対象書類名】明細書
【補正対象項目名】００４２
【補正方法】変更
【補正の内容】
【００４２】
［作用，効果］
本実施の形態の表示装置１では、図１および図２に示したように、走査線駆動回路１３０から各画素のトランジスタＴｒ２のゲートに走査信号が供給されると共に、信号線駆動回路１２０からは画像信号が、トランジスタＴｒ２を介してキャパシタＣｓに供給され、保持される。このキャパシタＣｓに保持された信号に応じてトランジスタＴｒ１がオンオフ制御され、これによって、各有機ＥＬ素子１０Ｒ，１０Ｇ，１０Ｂに駆動電流Ｉｄが注入される。この駆動電流Ｉｄが、第１電極１５および第２電極１８を通じて有機層１７の発光層に注入されることにより、正孔と電子とが再結合し、発光が起こる。
【手続補正１３】
【補正対象書類名】明細書
【補正対象項目名】００４３
【補正方法】変更
【補正の内容】
【００４３】
有機ＥＬ素子１０Ｒ，１０Ｇ，１０Ｂから赤色光，緑色光，青色光がそれぞれ発生すると、これらの各色光は、例えば第１電極１５および第２電極１８間において繰り返し反射された後、第２電極１８、カラーフィルタ層２０Ｒ，２０Ｇ，２０Ｂおよび第２基板２１を透過して、第２基板２１の上方へ出射する。このようにして、Ｒ，Ｇ，Ｂの各色光を発する有機ＥＬ素子１０Ｒ，１０Ｇ，１０Ｂの組を１つのピクセルとした画像表示が行われる。
【手続補正１４】
【補正対象書類名】明細書
【補正対象項目名】００５９
【補正方法】変更
【補正の内容】
【００５９】
図１８Ａおよび図１８Ｂは、デジタルカメラの外観を表したものである。このデジタルカメラは、例えば、フラッシュ用の発光部４７０、表示部４６０、メニュースイッチ４３０およびシャッターボタン４４０を有している。表示部４６０が、上記実施の形態等の表示装置により構成されている。